(57)【特許請求の範囲】
【請求項１】
情報提供先のユーザの位置を示す位置情報を所定期間蓄積し、蓄積した前記位置情報に基づいて前記ユーザが滞在していた地域を示す滞在地域情報を生成する滞在地域情報生成手段と、
前記滞在地域情報に含まれるそれぞれの地域において前記ユーザが購入した商品を基に、前記地域ごとの地域属性を設定する手段と、
前記ユーザの現在位置の前記地域属性を判断する判断手段と、
前記現在位置において前記ユーザが購入した商品および前記現在位置の前記地域属性に応じた設定基準に基づき、前記情報提供先に提供する提供情報に優先順位を設定する設定手段と、
前記優先順位に基づき前記提供情報を前記情報提供先に送信する通信手段と
を備えることを特徴とする情報提供システム。
【請求項２】
前記滞在地域情報生成手段は、前記ユーザが各地域に滞在した時間および頻度を基に前記滞在地域情報を生成し、
前記地域属性を設定する手段は、前記ユーザが購入した商品の特性を基に前記地域属性を設定する
ことを特徴とする請求項１に記載の情報提供システム。
【請求項３】
前記設定手段は、少なくとも前記ユーザによって過去に購入された商品のライフサイクルに応じて前記優先順位を設定する
ことを特徴とする請求項１又は２に記載の情報提供システム。
【請求項４】
前記設定手段は、少なくとも前記ユーザによって過去に購入された商品の持ち運びの容易さに応じて前記優先順位を設定する
ことを特徴とする請求項１乃至３のいずれか１項に記載の情報提供システム。
【請求項５】
前記設定手段は、少なくとも前記ユーザの可処分所得額に応じて前記優先順位を設定する
ことを特徴とする請求項１乃至４のいずれか１項に記載の情報提供システム。
【請求項６】
前記設定手段は、少なくとも前記ユーザのクレジットカードの限度額に応じて前記優先順位を設定する
ことを特徴とする請求項１乃至５のいずれか１項に記載の情報提供システム。
【請求項７】
前記設定手段は、少なくとも現在の時刻に応じて前記優先順位を設定する
ことを特徴とする請求項１乃至６のいずれか１項に記載の情報提供システム。
【請求項８】
前記提供情報は、商品の情報と、当該商品に対応するクーポンと、当該商品に対応する店舗の情報とを含む
ことを特徴とする請求項１乃至７のいずれか１項に記載の情報提供システム。
【請求項９】
前記地域属性を設定する手段は、地域属性として、前記ユーザの自宅周辺地域である自宅地域と、前記ユーザの勤務地周辺地域である勤務地域と、ユーザが遠出する地域である活発地域のいずれかに設定する請求項１乃至８のいずれか１項に記載の情報提供システム。
【請求項１０】
情報提供先のユーザの位置を示す位置情報を所定期間蓄積し、蓄積した前記位置情報に基づいて前記ユーザが滞在していた地域を示す滞在地域情報を生成し、
前記滞在地域情報に含まれるそれぞれの地域において前記ユーザが購入した商品を基に、前記地域ごとの地域属性を設定し、
前記ユーザの現在位置の前記地域属性を判断し、
前記現在位置において前記ユーザが購入した商品および前記現在位置の前記地域属性に応じた設定基準に基づき、前記情報提供先に提供する提供情報に優先順位を設定し、
前記優先順位に基づき前記提供情報を前記情報提供先に送信する
ことを特徴とする情報提供システムの制御方法。
【発明の詳細な説明】
【技術分野】
【０００１】
本発明は、情報提供システム、情報提供システムの制御方法および情報提供システムのプログラムに関する。
【背景技術】
【０００２】
近年、ＧＰＳ（Ｇｌｏｂａｌ  Ｐｏｓｉｔｉｏｎｉｎｇ  Ｓｙｓｔｅｍ）等によって取得した位置情報やＣＬＯ（Ｃａｒｄ  Ｌｉｎｋｅｄ  Ｏｆｆｅｒ）等のカード決済情報等を用いて、スマートフォン等の通信装置のユーザに、ユーザの嗜好に即した商品や、店舗、クーポン等の情報を提供するサービスが普及している。
【０００３】
特許文献１には、ユーザの商品の購入履歴、およびＧＰＳによって取得したユーザの現在位置に基づき、ユーザに提供する情報を選択する情報処理方法が記載されている。
【先行技術文献】
【特許文献】
【０００４】
【特許文献１】特開２００３−２４８７７６号公報
【発明の概要】
【発明が解決しようとする課題】
【０００５】
ユーザの嗜好に即した情報を提供するためには、ユーザの位置を示す情報だけでは十分でない。例えば、ユーザの位置が自宅周辺なのか勤務地周辺なのか等に応じたユーザの位置の属性を示す情報が必要である。その理由は、例えば、ユーザが自宅周辺にいる場合と勤務地周辺にいる場合とで、ユーザが欲する商品等の情報が異なるからである。
【０００６】
しかし、特許文献１に記載された情報処理方法では、ユーザに情報を提供する場合に、ユーザの位置の属性を示す情報が考慮されていない。したがって、特許文献１に記載された情報処理方法では、適切な情報を提供することができない。
【０００７】
本発明は、上記問題に鑑みてなされたものであり、適切な情報を適切なタイミングで提供することができる、情報提供システム、情報提供システムの制御方法および情報提供システムのプログラムを提供することを目的とする。
【課題を解決するための手段】
【０００８】
上記目的を達成するために、本発明の一態様における情報提供システムは、情報提供先のユーザの現在位置を含む地域の属性が、予め設定されたいずれの地域属性であるかを判断する判断手段と、前記地域で前記ユーザによって購入された商品および前記地域の地域属性に応じた設定基準に基づき、前記情報提供先に提供する提供情報に優先順位を設定する設定手段と、前記優先順位に基づき前記提供情報を前記情報提供先に送信する通信手段とを備えることを特徴とする。
【０００９】
上記目的を達成するために、本発明の一態様における情報提供システムの制御方法は、情報提供先のユーザの現在位置を含む地域の属性が、予め設定されたいずれの地域属性であるかを判断し、前記地域で前記ユーザによって購入された商品および前記地域の地域属性に応じた設定基準に基づき、前記情報提供先に提供する提供情報に優先順位を設定し、前記優先順位に基づき前記提供情報を前記情報提供先に送信することを特徴とする。
【００１０】
上記目的を達成するために、本発明の一態様における情報提供システムのプログラムは、情報提供システムのコンピュータに、情報提供先のユーザの現在位置を含む地域の属性が、予め設定されたいずれの地域属性であるかを判断する処理と、前記地域で前記ユーザによって購入された商品および前記地域の地域属性に応じた設定基準に基づき、前記情報提供先に提供する提供情報に優先順位を設定する処理と、前記優先順位に基づき前記提供情報を前記情報提供先に送信する処理とを実行させることを特徴とする。
【発明の効果】
【００１１】
本発明によれば、適切な情報を適切なタイミングで提供することができる。
【図面の簡単な説明】
【００１２】
【図１】本発明の第１の実施形態における情報提供システムの構成例を示すブロック図である。
【図２】本発明の第１の実施形態におけるデータモデルの例を示す説明図である。
【図３】本発明の第１の実施形態における通信装置が送信する情報の例を示す説明図である。
【図４】本発明の第１の実施形態における滞在地域情報の例を示す説明図である。
【図５】本発明の第１の実施形態における設定情報の例を示す説明図である。
【図６】本発明の第１の実施形態における購入情報の例を示す説明図である。
【図７】本発明の第１の実施形態における購入情報の例を示す説明図である。
【図８】本発明の第１の実施形態におけるパーソナル経済圏情報の例を示す説明図である。
【図９】本発明の第１の実施形態におけるコンテンツ管理サーバの動作例を示すフローチャートである。
【図１０】本発明の第１の実施形態におけるコンテンツ管理サーバの動作例を示すフローチャートである。
【図１１】本発明の第１の実施形態におけるコンテンツ管理サーバが通信装置に情報を送信する動作例を示すシーケンス図である。
【図１２】本発明の第１の実施形態における通信装置の動作例を示す説明図である。
【図１３】本発明の第１の実施形態における通信装置の動作例を示す説明図である。
【図１４】本発明の第２の実施形態における情報提供システムの構成例を示すブロック図である。
【図１５】本発明の第３の実施形態における情報提供システムの構成例を示すブロック図である。
【図１６】本発明の第３の実施形態における情報提供システムの動作例を示すフローチャートである。
【発明を実施するための形態】
【００１３】
（第１の実施形態）
本発明の第１の実施形態について図面を参照して説明する。
【００１４】
図１は、本実施形態における情報提供システム１００の構成例を示すブロック図である。図１に示す例では、情報提供システム１００は、通信装置１１０と、位置蓄積サーバ１２０と、購入履歴蓄積サーバ１３０と、パーソナル経済圏分析サーバ１４０と、コンテンツ管理サーバ１５０とを含む。なお、図２は、本実施形態におけるデータモデルの例を示す説明図である。また、図３は、通信装置１１０が送信する情報の例を示す説明図である。
【００１５】
（通信装置１１０の説明）
通信装置１１０は、例えば、ＧＰＳ等を用いた現在位置特定機能および通信機能を有する。そして、通信装置１１０は、例えば、搭載されているソフトウェアの制御に従って、以下のように動作する。
【００１６】
通信装置１１０は、可処分所得額を示す情報（以下、「可処分所得情報」と記載する。）、および通信装置１１０のユーザのクレジットカードの番号等の情報（以下、「クレジットカード情報」と記載する。）がユーザによって入力された場合に、これらを通信装置１１０の記憶部（図示せず）に記憶させる。
【００１７】
ここで、可処分所得情報とは、例えば、ユーザの所得から生活固定費を除いた日用品の購入等に使用可能な金額を示す情報である。また、クレジットカード情報とは、クレジットカードの識別情報やクレジットカードの限度額の情報等、通信装置１１０のユーザのクレジットカードに関する各種情報を含む情報である。なお、通信装置１１０は、クレジットカード情報を記憶部で保持することで、カード会社等からカード決済の情報等を受信可能になり、通信装置１１０のユーザによるクレジットカードを用いた商品の購入を検知すること、購入した商品を特定すること、および商品の購入日時を特定することができるようになるとする。
【００１８】
そして、通信装置１１０は、入力された可処分所得情報およびクレジットカード情報を購入履歴蓄積サーバ１３０に送信する。
【００１９】
また、通信装置１１０は、ユーザがクレジットカードを用いて商品を購入したことを検知した場合、通信装置１１０の現在位置、すなわち、ユーザによる商品の購入位置を特定する。そして、通信装置１１０は、当該商品の購入位置に応じた緯度および経度を示す購入位置情報を、購入履歴蓄積サーバ１３０に送信する。
【００２０】
また、通信装置１１０は、ユーザがクレジットカードを用いて購入した商品および当該商品の価格を示す商品情報と、商品を購入した日時を示す日時情報とを購入履歴蓄積サーバ１３０に送信する。つまり、通信装置１１０は、ユーザがクレジットカードを用いて商品を購入したことを検知した場合に、当該商品の購入に関する購入位置情報と、商品情報と、日時情報とを購入履歴蓄積サーバ１３０に送信する。なお、以降の説明では、購入位置情報と、商品情報と、日時情報とをまとめて購入情報と記載する。
【００２１】
また、通信装置１１０は、例えば、数秒毎や数分毎といった周期で通信装置１１０の現在位置を特定する。そして、通信装置１１０は、特定した現在位置を示す現在位置情報を位置蓄積サーバ１２０に送信する。
【００２２】
また、通信装置１１０は、後述するようにコンテンツ管理サーバ１５０から商品の情報等を受信した場合、通信装置１１０の表示手段（図示せず）に当該情報を受信した旨、および当該情報の内容を表示させる。
【００２３】
ここで、通信装置１１０は、例えば、ＧＰＳの機能を有するスマートフォンや携帯電話機、タブレット端末、ＰＤＡ（Ｐｅｒｓｏｎａｌ  Ｄｉｇｉｔａｌ  Ａｓｓｉｓｔａｎｔ）機器等の通信装置である。
【００２４】
（位置蓄積サーバ１２０の説明）
位置蓄積サーバ１２０は、通信装置１１０が送信した現在位置情報を受信した場合に、受信した現在位置情報をコンテンツ管理サーバ１５０に送信する。また、位置蓄積サーバ１２０は、通信装置１１０が送信した現在位置情報を受信した場合に、受信した現在位置情報を位置蓄積サーバ１２０の記憶部（図示せず）に記憶させる。なお、記憶部には、緯度および経度と、市町村名とが対応づけられた地図情報が予め記憶されている。
【００２５】
位置蓄積サーバ１２０は、３日間や１週間等の所定の期間分の現在位置情報が記憶部に記憶された場合に、記憶されている所定の期間分の現在位置情報を用いて通信装置１１０のユーザが滞在していた地域を分析する。具体的には、位置蓄積サーバ１２０は、記憶されている現在位置情報が示す緯度および経度と、地図情報とに基づいて、現在位置情報が示す位置が、Ａ町やＢ町等の何処の地域に属するのかを分析する。位置蓄積サーバ１２０は、記憶されている所定の期間分の現在位置情報すべてについて当該分析を行うことで、各曜日の各時間帯において通信装置１１０のユーザが滞在していた地域を特定する。そして、位置蓄積サーバ１２０は、特定した地域を示す滞在地域情報を生成し、パーソナル経済圏分析サーバ１４０に送信する。図４は、滞在地域情報の例を示す説明図である。図４に示す例において、Ａ町、Ｂ町およびＣ町は、通信装置１１０のユーザが高い頻度で長時間滞在していた地域であることが示されている。図４に示す例において、「不定」は、移動等に伴い通信装置１１０のユーザが長時間滞在していた地域がなかったことを示す。
【００２６】
ここで、位置蓄積サーバ１２０は、前述のように、３日間や１週間等の所定の期間毎に滞在地域情報を生成し、これをパーソナル経済圏分析サーバ１４０に送信する。その理由は、後述するように、パーソナル経済圏分析サーバ１４０がパーソナル経済圏を推定するためには、３日間や１週間等のまとまった期間分の現在位置情報に基づいて生成された滞在地域情報が必要だからである。また、前述のように、位置蓄積サーバ１２０は、通信装置１１０が数秒毎や数分毎といった周期で送信した現在位置情報を受信したことに応じて、受信した現在位置情報をコンテンツ管理サーバ１５０に送信する。その理由は、後述するように、通信装置１１０のユーザに適切な情報を提供するためには、コンテンツ管理サーバ１５０が最新の現在位置情報を保持している必要があるからである。
【００２７】
（購入履歴蓄積サーバ１３０の説明）
購入履歴蓄積サーバ１３０の記憶部（図示せず）には、商品の持ち運び易さに関する情報（以下、「持運び情報」）、および商品のライフサイクルを示すＥＯＬ（Ｅｎｄ  Ｏｆ  Ｌｉｆｅ）情報を含む設定情報が、予め記憶されている。図５は、設定情報の例を示す説明図である。
【００２８】
購入履歴蓄積サーバ１３０は、通信装置１１０が送信した可処分所得情報およびクレジットカード情報を受信した場合に、これらを記憶部に記憶させる。また、購入履歴蓄積サーバ１３０は、通信装置１１０から購入情報を受信した場合に、受信した購入情報を記憶部に記憶させる。図６は、購入履歴蓄積サーバ１３０に蓄積された購入情報の例を示す説明図である。図６に示す例では、６個の購入情報が蓄積されている。購入履歴蓄積サーバ１３０は、例えば、購入情報を所定の数以上蓄積した場合に、以下に示す動作を行う。
【００２９】
購入履歴蓄積サーバ１３０は、記憶部に記憶されている設定情報の品名に基づき、持運び情報およびＥＯＬ情報を、品名が対応する蓄積した購入情報に付加する。例えば、図６に示す購入情報の各々は、図５に示す設定情報に基づき持運び情報およびＥＯＬ情報が付加された場合、図７に示すようになる。
【００３０】
そして、購入履歴蓄積サーバ１３０は、持運び情報およびＥＯＬ情報等が付加された購入情報と、記憶部に記憶されている可処分所得情報およびクレジットカード情報とをパーソナル経済圏分析サーバ１４０に送信する。なお、以降の説明では、購入情報と、可処分所得情報と、クレジットカード情報とをまとめてユーザ情報と記載する。
【００３１】
（パーソナル経済圏分析サーバ１４０の説明）
パーソナル経済圏分析サーバ１４０は、位置蓄積サーバ１２０から滞在地域情報を受信した場合、受信した滞在地域情報をパーソナル経済圏分析サーバ１４０の記憶部（図示せず）に記憶させる。また、パーソナル経済圏分析サーバ１４０は、購入履歴蓄積サーバ１３０からユーザ情報を受信した場合、受信したユーザ情報を記憶部に記憶させる。そして、パーソナル経済圏分析サーバ１４０は、記憶部に記憶されている滞在地域情報とユーザ情報内の購入情報とに基づき、通信装置１１０のユーザのパーソナル経済圏を推定する。
【００３２】
ここで、パーソナル経済圏とは、通信装置１１０のユーザが高い頻度で長時間滞在する地域（以下、「生活圏」と記載する。）のうち、通信装置１１０のユーザが商品を購入したことがある地域のことである。なお、本例において、パーソナル経済圏は、通信装置１１０のユーザの自宅周辺地域（以下、「自宅地域」と記載する。）、通信装置１１０のユーザの勤務地周辺地域（以下、「勤務地域」と記載する。）および通信装置１１０のユーザが度々遠出する地域（以下、「活発地域」と記載する。）の３つに区分される。以下、パーソナル経済圏分析サーバ１４０がパーソナル経済圏を推定する動作例を、図４に示す滞在地域情報、および図７に示す購入情報を用いて説明する。
【００３３】
パーソナル経済圏分析サーバ１４０は、滞在地域情報に基づき、通信装置１１０のユーザの生活圏を特定する。例えば、パーソナル経済圏分析サーバ１４０は、図４に示す滞在地域情報から通信装置１１０のユーザの生活圏が、Ａ町、Ｂ町およびＣ町であることを特定する。
【００３４】
また、パーソナル経済圏分析サーバ１４０は、前述のように特定した生活圏と、購入情報に含まれる購入位置情報とを対応付けることで、生活圏で行われた商品の購入を特定する。例えば、パーソナル経済圏分析サーバ１４０は、図７に示す購入情報における整理番号１の商品である白米、および整理番号２の商品である灯油の購入がＡ町で行われたことを特定する。また、例えば、パーソナル経済圏分析サーバ１４０は、図７に示す購入情報における整理番号３の商品である弁当、および整理番号４の商品である弁当の購入がＢ町で行われたことを特定する。また、例えば、パーソナル経済圏分析サーバ１４０は、図７に示す購入情報における整理番号５の商品である遊園地の入場券、および整理番号６の商品である遊園地の入場券の購入がＣ町で行われたことを特定する。
【００３５】
そして、パーソナル経済圏分析サーバ１４０は、前述のように特定した生活圏にて行われた商品の購入と滞在地域情報とに基づき、生活圏を自宅地域、勤務地域又は活発地域のいずれかに区分する。例えば、パーソナル経済圏分析サーバ１４０は、図４に示すようにＡ町は通信装置１１０のユーザが毎日夜から朝にかけて滞在している生活圏であること、およびＡ町は図７における整理番号１，２で示される持ち運び困難な商品（白米、灯油）が購入された生活圏であることに基づき、Ａ町を自宅地域であると推定する。また、例えば、パーソナル経済圏分析サーバ１４０は、図４に示すようにＢ町は通信装置１１０のユーザが平日の昼間に滞在している生活圏であること、およびＢ町は図７における整理番号３，４で示される持ち運び容易な商品（弁当）が昼時に購入された生活圏であることに基づき、Ｂ町を勤務地域であると推定する。また、例えば、パーソナル経済圏分析サーバ１４０は、図４に示すようにＣ町は通信装置１１０のユーザが休日の昼間に滞在していた生活圏であること、およびＣ町は図７における整理番号５，６で示される持ち運び容易な商品（遊園地の入場券）が購入された生活圏であることに基づき、Ｃ町を活発地域であると推定する。
【００３６】
そして、パーソナル経済圏分析サーバ１４０は、パーソナル経済圏を推定した後、推定したパーソナル経済圏を示す情報を含むパーソナル経済圏情報と、記憶部に記憶されているユーザ情報とをコンテンツ管理サーバ１５０に送信する。図８は、パーソナル経済圏情報の例を示す説明図である。図８に示す例では、各市町村名と、各市町村の地域の属性を示す情報とが対応付けられている。
【００３７】
なお、パーソナル経済圏を自宅地域等に区分するための基準は、適宜変更することができる。例えば、パーソナル経済圏分析サーバ１４０は、持ち運びが困難な商品（白米、灯油）の購入頻度が高い地域を自宅地域、購入頻度が低い地域を勤務地域と推定してもよい。
【００３８】
以上のように、パーソナル経済圏分析サーバ１４０は、通信装置１１０のユーザの生活圏と、当該生活圏で購入された商品の情報とに基づき、通信装置１１０のユーザのパーソナル経済圏を特定する。よって、パーソナル経済圏分析サーバ１４０は、通信装置１１０のユーザが、夜間勤務である場合や昼夜逆転して生活している場合であっても、通信装置１１０のユーザパーソナル経済圏を高い精度で推定することができる。
【００３９】
（コンテンツ管理サーバ１５０の説明）
コンテンツ管理サーバ１５０は、管理装置（図示せず）と通信して各種情報を取得することができる。ここで、管理装置は、例えば、各町に在る店舗の位置の情報や、当該店舗で扱われている商品の情報（以下、これらの情報をまとめて「店舗情報」と記載する。）を管理している。また、管理装置は、例えば、各町に在る店舗で販売されている商品のクーポンの情報（以下、「クーポン情報」と記載する。）を管理している。
【００４０】
また、コンテンツ管理サーバ１５０は、位置蓄積サーバ１２０が送信した現在位置情報を受信した場合に、受信した現在位置情報をコンテンツ管理サーバ１５０の記憶部（図示せず）に記憶させる。ここで、コンテンツ管理サーバ１５０は、位置蓄積サーバ１２０から現在位置情報を受信した場合に、記憶部に記憶されている現在位置情報の内容を、受信した現在位置情報が示す内容に更新する。つまり、コンテンツ管理サーバ１５０は、最新の現在位置情報を常時保持している。
【００４１】
また、コンテンツ管理サーバ１５０は、パーソナル経済圏分析サーバ１４０からパーソナル経済圏情報およびユーザ情報を受信した場合、これらを記憶部に記憶させる。そして、コンテンツ管理サーバ１５０は、記憶部に記憶されている現在位置情報と、パーソナル経済圏情報およびユーザ情報とに基づき、通信装置１１０のユーザに提供する商品等の情報に優先順位（以下、「情報提供順位」と記載する。）を設定する。具体的には、コンテンツ管理サーバ１５０は、例えば、通信装置１１０のユーザの嗜好に即していると判断した商品の情報や、当該商品に対応するクーポン、当該商品を販売している店舗の情報等について、その情報提供順位を高く設定する。そして、コンテンツ管理サーバ１５０は、情報提供順位が高く設定された情報から順に通信装置１１０に送信する。ここで、コンテンツ管理サーバ１５０は、例えば、プッシュ通知によって、情報提供順位が高く設定された情報から順に通信装置１１０に送信する。なお、コンテンツ管理サーバ１５０による情報提供順位の設定は、例えば、次のように行われる。
【００４２】
コンテンツ管理サーバ１５０は、記憶部に記憶されている現在位置情報とパーソナル経済圏情報とに基づいて、通信装置１１０のユーザが現在Ａ町（自宅地域）にいると特定した場合に、例えば、以下の設定基準を組み合わせて、情報提供順位を設定する。
【００４３】
コンテンツ管理サーバ１５０は、ユーザ情報内の購入情報に含まれているＥＯＬ情報に基づき、過去に通信装置１１０のユーザが購入した商品のうちライフサイクルが終了している商品、およびライフサイクルの終了が迫っている商品を特定する。ここで、ライフサイクルの終了が迫っている商品とは、例えば、購入情報に含まれている日時情報が示す日時からＥＯＬ情報が示す期間の９０％を経過した商品のことをいう。そして、コンテンツ管理サーバ１５０は、当該商品の情報提供順位をそうでない商品の情報提供順位よりも高く設定する。このような設定基準によって、例えば、通信装置１１０のユーザが最近購入した商品の情報の送信を防ぐことができる。したがって、情報提供システム１００の利便性の毀損を防ぐことができる。なお、ライフサイクルは、購入情報に含まれている日時情報が示す日時からＥＯＬ情報が示す期間を経過したときに終了する。
【００４４】
また、コンテンツ管理サーバ１５０は、ユーザ情報内の購入情報に含まれる持運び情報に基づき、過去に通信装置１１０のユーザが購入した商品のうち持ち運びが困難な商品を特定する。そして、コンテンツ管理サーバ１５０は、当該商品の情報提供順位を持ち運びが容易な商品の情報提供順位よりも高く設定する。この理由は、例えば、自宅までの商品の持運び距離が短いＡ町（自宅地域）においては、Ｂ町（勤務地域）やＣ町（活発地域）等の他の地域よりも、持ち運びが困難な商品に対する通信装置１１０のユーザの購買意欲が高くなるからである。
【００４５】
また、コンテンツ管理サーバ１５０は、ユーザ情報内の可処分所得情報に基づき、通信装置１１０のユーザの可処分所得額を特定する。また、コンテンツ管理サーバ１５０は、ユーザ情報内の購入情報に基づき、過去に通信装置１１０のユーザが購入した商品および当該商品の価格を特定する。そして、コンテンツ管理サーバ１５０は、通信装置１１０のユーザが過去に購入した商品のうち、価格が可処分所得額以下の商品について、その情報提供順位を価格が可処分所得額よりも高い商品よりも高く設定する。
【００４６】
また、コンテンツ管理サーバ１５０は、ユーザ情報内のクレジットカード情報に基づき、通信装置１１０のユーザのクレジットカードの限度額を特定する。そして、コンテンツ管理サーバ１５０は、通信装置１１０のユーザが過去に購入した商品のうち、価格がクレジットカードの限度額以下の商品について、その情報提供順位を価格がクレジットカードの限度額よりも高い商品の情報提供順位よりも高く設定する。
【００４７】
また、コンテンツ管理サーバ１５０は、ユーザ情報内の購入情報に基づき、過去に通信装置１１０のユーザが購入した商品を特定する。また、コンテンツ管理サーバ１５０は、時刻計測部（図示せず）を用いて現在の時刻を特定する。そして、コンテンツ管理サーバ１５０は、通信装置１１０のユーザが過去に購入した商品のうち、情報を提供するタイミングが現在の時刻に適した商品について、その情報提供順位をそうでない商品の情報提供順位よりも高く設定する。例えば、コンテンツ管理サーバ１５０は、現在の時刻が昼食の時間帯（例えば、１１時３０分〜１３時３０分）であった場合、弁当等の食品の情報提供順位を高く設定する。このような設定基準によって、例えば、深夜帯に、通信装置１１０のユーザが欲しない弁当等の情報の送信を防ぐことができる。したがって、情報提供システム１００の利便性の毀損を防ぐことができる。
【００４８】
以上のように、通信装置１１０のユーザがＡ町にいる場合、コンテンツ管理サーバ１５０は、前述の設定基準を組み合わせて、通信装置１１０に送信する情報に情報提供順位を設定する。そして、コンテンツ管理サーバ１５０は、そして、コンテンツ管理サーバ１５０は、情報提供順位が高く設定された情報から順に通信装置１１０に送信する。
【００４９】
なお、コンテンツ管理サーバ１５０は、管理装置から得たクーポン情報に基づき、情報提供順位を高く設定した商品に対応するクーポンの存在を確認した場合、当該クーポンの情報提供順位をそうでないクーポンの情報提供順位よりも高く設定する。また、コンテンツ管理サーバ１５０は、管理装置から得た店舗情報に基づき、Ａ町に在る店舗のうち、情報提供順位を高く設定した商品を販売している店舗の情報提供順位を、そうでない店舗の情報提供順位よりも高く設定する。そして、コンテンツ管理サーバ１５０は、商品の情報を通信装置１１０に送信するときに、当該商品に対応するクーポンおよび店舗の情報も併せて通信装置１１０に送信する。なお、コンテンツ管理サーバ１５０は、当該商品に対応するクーポンが複数ある場合、クーポンの利用可能期限や、クーポンの登録順等に基づき、各クーポンの情報提供の序列を決定する。そして、コンテンツ管理サーバ１５０は、当該序列に基づく順番でクーポンを通信装置１１０に送信する。
【００５０】
ここで、図９を参照して、通信装置１１０のユーザが現在Ａ町（自宅地域）にいる場合のコンテンツ管理サーバ１５０の動作例を説明する。
【００５１】
（Ｓ１０１）
コンテンツ管理サーバ１５０は、記憶部に記憶されているユーザ情報内の購入情報に含まれているＥＯＬ情報に基づき、過去に通信装置１１０のユーザが購入した商品のうち、ライフサイクルが終了している商品を特定する。そして、コンテンツ管理サーバ１５０は、当該商品の情報提供順位をそうでない商品の情報提供順位よりも高く設定する。例えば、図７に示す購入情報の例では、コンテンツ管理サーバ１５０は、白米の購入から２ヶ月以上経過していた場合、白米のライフサイクルが終了していると判定する。そして、コンテンツ管理サーバ１５０は、白米の情報提供順位を白米以外の商品の情報提供順位よりも高く設定する。
【００５２】
（Ｓ１０２）
コンテンツ管理サーバ１５０は、ユーザ情報内の購入情報に含まれている持運び情報に基づき、過去に通信装置１１０のユーザが購入した商品のうち、持ち運びが困難な商品を特定する。そして、コンテンツ管理サーバ１５０は、当該商品の情報提供順位を持ち運びが容易な商品の情報提供順位よりも高く設定する。図７に示す購入情報の例では、コンテンツ管理サーバ１５０は、白米および灯油の情報提供順位を高く設定する。
【００５３】
（Ｓ１０３）
コンテンツ管理サーバ１５０は、Ｓ１０２の処理が終了した時点で最も情報提供順位が高く設定されている情報から順に、通信装置１１０に送信する。本動作例では、白米の情報提供順位が最も高く設定されているので、白米の情報が優先的に通信装置１１０に送信される。そして、コンテンツ管理サーバ１５０は、白米に対応するクーポン、および白米を販売しているＡ町の店舗の情報も併せて通信装置１１０に送信する。
【００５４】
このように、通信装置１１０のユーザがＡ町にいる場合、コンテンツ管理サーバ１５０は、持ち運びが困難且つライフサイクルが終了している商品である白米の情報と、白米に対応するクーポンと、白米を取り扱っているＡ町の店舗の情報とを優先的に通信装置１１０に送信することができる。
【００５５】
次に、通信装置１１０のユーザが現在Ｂ町（勤務地域）にいると特定された場合のコンテンツ管理サーバ１５０による情報提供順位の設定について説明する。この場合のコンテンツ管理サーバ１５０による情報提供順位の設定基準は、通信装置１１０のユーザの現在の所在がＡ町（自宅地域）である場合と、以下の点で異なる。
【００５６】
コンテンツ管理サーバ１５０は、ユーザ情報内の購入情報に含まれる持運び情報に基づき、過去に通信装置１１０のユーザが購入した商品のうち持ち運びが容易な商品を特定する。そして、コンテンツ管理サーバ１５０は、当該商品の情報提供順位をそうでない商品の情報提供順位よりも高く設定する。
【００５７】
ここで、図１０を参照して、通信装置１１０のユーザが現在Ｂ町（勤務地域）にいる場合のコンテンツ管理サーバ１５０の動作例を説明する。
【００５８】
（Ｓ２０１）
コンテンツ管理サーバ１５０は、ユーザ情報内の購入情報に基づき、過去に通信装置１１０のユーザが購入した商品を特定する。また、コンテンツ管理サーバ１５０は、時刻計測部を用いて、現在の時刻が昼食の時間帯であることを特定する。そして、コンテンツ管理サーバ１５０は、通信装置１１０のユーザが過去に購入した商品のうち、昼食の時間帯に通信装置１１０のユーザに提供するのに適した商品について、その情報提供順位をそうでない商品の情報提供順位よりも高く設定する。例えば、図７に示すユーザ情報の例では、コンテンツ管理サーバ１５０は、弁当の情報提供順位をそれ以外の商品の情報提供順位よりも高く設定する。
【００５９】
（Ｓ２０２）
コンテンツ管理サーバ１５０は、ユーザ情報内の購入情報に含まれているＥＯＬ情報に基づき、過去に通信装置１１０のユーザが購入した商品のうち、ライフサイクルが終了している商品を特定する。そして、コンテンツ管理サーバ１５０は、当該商品の情報提供順位をそうでない商品の情報提供順位よりも高く設定する。例えば、図７に示すユーザ情報の例では、コンテンツ管理サーバ１５０は、弁当の情報提供順位をそれ以外の商品の情報提供順位よりも高く設定する。
【００６０】
（Ｓ２０３）
コンテンツ管理サーバ１５０は、Ｓ２０２の処理が終了した時点で最も情報提供順位が高く設定されている情報から順に、通信装置１１０に送信する。本動作例では、弁当の情報提供順位が最も高く設定されているので、弁当の情報が優先的に通信装置１１０に送信される。そして、コンテンツ管理サーバ１５０は、弁当に対応するクーポン、および弁当を販売しているＢ町の店舗の情報も併せて通信装置１１０に送信する。
【００６１】
このように、通信装置１１０のユーザがＢ町にいる場合、コンテンツ管理サーバ１５０は、持ち運びが容易且つ昼食の時間帯に情報提供するのに適した商品である弁当の情報と、弁当に対応したクーポンと、弁当を取り扱っているＢ町の店舗の情報とを優先的に通信装置１１０に送信することができる。
【００６２】
次に、通信装置１１０のユーザが現在Ｃ町（活発地域）にいると特定された場合のコンテンツ管理サーバ１５０による情報提供順位の設定について説明する。この場合のコンテンツ管理サーバ１５０による情報提供順位の設定基準は、通信装置１１０のユーザが現在Ａ町（自宅地域）にいる場合と、以下の点で異なる。
【００６３】
コンテンツ管理サーバ１５０は、ユーザ情報に含まれる持ち運び易さに関する情報に基づき、過去に通信装置１１０のユーザが購入した商品のうち持ち運びが容易な商品を特定する。そして、コンテンツ管理サーバ１５０は、当該商品の情報提供順位をそうでない商品の情報提供順位よりも高く設定する。
【００６４】
よって、通信装置１１０のユーザがＣ町にいる場合、コンテンツ管理サーバ１５０は、例えば、持ち運びが容易な商品である遊園地のチケットの情報と、遊園地のチケットに対応するクーポンと、遊園地のチケットを取り扱っている店舗の情報とを、優先的に通信装置１１０のユーザに提供することができる。
【００６５】
なお、通信装置１１０のユーザの現在の所在が「不定」であると特定された場合、コンテンツ管理サーバ１５０は、例えば、過去に通信装置１１０のユーザが購入した商品のうちライフサイクルが終了している商品、およびライフサイクルの終了が迫っている商品の情報を優先的に通信装置１１０に送信する。また、コンテンツ管理サーバ１５０は、当該商品に対応するクーポン、および通信装置１１０のユーザの現在位置から最も近い当該商品を扱っている店舗の情報も併せて通信装置１１０に送信する。
【００６６】
次に、図１１を参照して、コンテンツ管理サーバ１５０が通信装置１１０のユーザに情報を提供するまでの一連の動作を説明する。
【００６７】
（Ｓ３０１：通信装置１１０の処理）
通信装置１１０は、ユーザによって可処分所得情報およびクレジットカード情報が入力された場合、これらを購入履歴蓄積サーバ１３０に送信する。
【００６８】
また、通信装置１１０は、ユーザが商品を購入したことを検知した場合に、当該商品の購入に関する購入情報（購入位置情報、商品情報、および日時情報）を購入履歴蓄積サーバ１３０に送信する。
【００６９】
また、通信装置１１０は、例えば、数秒毎や数分毎といった周期で特定した現在位置に応じた緯度および経度を示す現在位置情報を、位置蓄積サーバ１２０に送信する。
【００７０】
図１２および図１３は、Ｓ３０１の処理に対応する通信装置１１０の動作例を示す説明図である。
【００７１】
（Ｓ３０２：位置蓄積サーバ１２０の処理）
位置蓄積サーバ１２０は、通信装置１１０が送信した現在位置情報を受信した場合に、受信した現在位置情報をコンテンツ管理サーバ１５０に送信する。また、位置蓄積サーバ１２０は、通信装置１１０が送信した現在位置情報を受信した場合に、受信した現在位置情報を記憶部に記憶させる。
【００７２】
位置蓄積サーバ１２０は、記憶部に所定期間分の現在位置情報を蓄積した場合、当該所定期間分の現在位置情報を用いて、滞在地域情報を生成する。そして、位置蓄積サーバ１２０は、生成した滞在地域情報をパーソナル経済圏分析サーバ１４０に送信する。
【００７３】
（Ｓ３０３：購入履歴蓄積サーバ１３０の処理）
購入履歴蓄積サーバ１３０は、通信装置１１０から可処分所得情報およびクレジットカード情報を受信した場合に、これらを記憶部に記憶させる。また、購入履歴蓄積サーバ１３０は、通信装置１１０から購入情報を受信した場合に、受信した購入情報を記憶部に記憶させる。
【００７４】
購入履歴蓄積サーバ１３０は、例えば、記憶部に所定の数以上の購入情報が蓄積された場合、記憶部に記憶されている設定情報に基づき、蓄積されている購入情報に、商品の持ち運び易さに関する情報、および商品のライフサイクルを示すＥＯＬ情報を付加する。そして、購入履歴蓄積サーバ１３０は、ユーザ情報（持運び情報およびＥＯＬ情報が付加された購入情報、可処分所得情報、およびクレジットカード情報）をパーソナル経済圏分析サーバ１４０に送信する。
【００７５】
（Ｓ３０４：パーソナル経済圏分析サーバ１４０の処理）
パーソナル経済圏分析サーバ１４０は、位置蓄積サーバ１２０が送信した滞在地域情報を受信した場合に、受信した滞在地域情報を記憶部に記憶させる。また、パーソナル経済圏分析サーバ１４０は、購入履歴蓄積サーバ１３０が送信したユーザ情報を受信した場合に、受信したユーザ情報を記憶部に記憶させる。そして、パーソナル経済圏分析サーバ１４０は、記憶部に記憶されている滞在地域情報およびユーザ情報に基づき、通信装置１１０のユーザのパーソナル経済圏を推定する。そして、パーソナル経済圏分析サーバ１４０は、推定したパーソナル経済圏を示す情報を含むパーソナル経済圏情報、および記憶部に記憶されているユーザ情報をコンテンツ管理サーバ１５０に送信する。
【００７６】
（Ｓ３０５：コンテンツ管理サーバ１５０の処理）
コンテンツ管理サーバ１５０は、位置蓄積サーバ１２０が送信した現在位置情報を受信した場合に、受信した現在位置情報を記憶部に記憶させる。また、コンテンツ管理サーバ１５０は、パーソナル経済圏分析サーバ１４０が送信したパーソナル経済圏情報およびユーザ情報を受信した場合に、これらを記憶部に記憶させる。コンテンツ管理サーバ１５０は、記憶部に記憶されている現在位置情報、パーソナル経済圏情報およびユーザ情報に基づき、通信装置１１０のユーザに提供する情報に情報提供順位を設定する。そして、コンテンツ管理サーバ１５０は、高い情報提供順位が設定されている情報から順に通信装置１１０に送信する。
【００７７】
（Ｓ３０６：通信装置１１０の処理）
通信装置１１０は、コンテンツ管理サーバ１５０が送信した商品等の情報を受信した場合に、表示手段に当該情報を受信した旨、および当該情報の内容を表示させる。
【００７８】
以上のように、本実施形態におけるコンテンツ管理サーバ１５０は、位置蓄積サーバ１２０が送信した現在位置情報と、パーソナル経済圏分析サーバ１４０が送信したパーソナル経済圏情報とに基づき、通信装置１１０のユーザの現在位置の地域の属性を特定する。また、コンテンツ管理サーバ１５０は、当該地域の属性に応じて、通信装置１１０のユーザに提供する情報の情報提供順位を設定する。そして、コンテンツ管理サーバ１５０は、高い情報提供順位を設定した情報から順に、通信装置１１０に送信する。よって、コンテンツ管理サーバ１５０は、通信装置１１０のユーザの現在位置の地域の属性を考慮して、ユーザに情報を提供する。
【００７９】
したがって、本実施形態によれば、適切な情報を適切なタイミングで提供することができる。
【００８０】
ここで、本実施形態において、位置蓄積サーバ１２０は、現在位置情報および地図情報に基づいて滞在地域情報を生成したが、この方法に限定されない。例えば、位置蓄積サーバ１２０は、購入位置情報および地図情報に基づいて滞在地域情報を生成してもよい。また、例えば、位置蓄積サーバ１２０は、現在位置情報、購入位置情報および地図情報に基づいて滞在地域情報を生成してもよい。この場合、通信装置１１０は、ユーザによるクレジットカードを用いた商品の購入を検知した場合に、購入履歴蓄積サーバ１３０に加えて位置蓄積サーバ１２０にも購入位置情報を送信する。そして、位置蓄積サーバ１２０は、現在位置情報と購入位置情報との少なくとも一方、および地図情報に基づき、滞在地域情報を生成する。なお、現在位置情報、購入位置情報および地図情報に基づいて滞在地域情報を生成する場合、現在位置情報および地図情報に基づいて滞在地域情報を生成する場合よりも通信装置１１０の位置に関する情報を多数用いるので、滞在地域情報をより正確に生成することができる。
【００８１】
また、本実施形態において、コンテンツ管理サーバ１５０は、例えば、パーソナル経済圏分析サーバ１４０が送信したパーソナル経済圏情報やユーザ情報に含まれる購入情報に基づき、過去にユーザＸが自宅から１００ｍ圏内の店舗でしか白米を購入していないこと、およびユーザＹが自宅から１ｋｍ圏内の店舗でしか白米を購入していないことを特定した場合に、次のように動作することもできる。すなわち、コンテンツ管理サーバ１５０は、ユーザＸの通信装置には、自宅から１００ｍ圏内にいる場合のみ、白米の情報と、白米に対応するクーポンと、白米を販売している店舗の情報とを提供する。また、コンテンツ管理サーバ１５０は、ユーザＹの通信装置には、自宅から１ｋｍ圏内にいる場合のみ、白米の情報と、白米に対応するクーポンと、白米を取り扱っている店舗の情報とを提供する。よって、コンテンツ管理サーバ１５０は、ユーザ毎の商品の購入範囲を特定し、特定した購入範囲に基づき、ユーザに提供する情報を選択することもできる。したがって、コンテンツ管理サーバ１５０は、通信装置１１０のユーザの嗜好に即した情報を、より高い精度で提供することができる。
【００８２】
また、本実施形態において、コンテンツ管理サーバ１５０は、商品の情報提供順位の設定に応じて、クーポンおよび店舗の情報提供順位を設定したがこれに限定されない。コンテンツ管理サーバ１５０は、例えば、通信装置１１０のユーザの現在の所在がＣ町（活発地域）であり、現在の時刻が夕食の時間帯であった場合、Ｃ町以外の町に在る飲食店および当該飲食店のクーポンの情報提供順位よりも、Ｃ町に在る飲食店および当該飲食店のクーポンの情報提供順位を高く設定してもよい。また、コンテンツ管理サーバ１５０は、Ｃ町に在る飲食店および当該飲食店のクーポンのみを通信装置１１０に送信してもよい。
【００８３】
（第２の実施形態）
本発明の第２の実施形態について図面を参照して説明する。
【００８４】
本発明の第２の実施形態における情報提供システム２００は、購入履歴蓄積サーバ２１０が通信装置１１０から受信した購入情報に含まれる日時情報（通信装置１１０のユーザがクレジットカードを用いて商品を購入した日時を示す情報）をコンテンツ管理サーバ２２０に送信する点、およびコンテンツ管理サーバ２２０が当該日時情報等に基づいて、情報提供順位の設定基準を変更する点で、図１に示す第１の実施形態における情報提供システム１００と異なる。
【００８５】
図１４は、本実施形態における情報提供システム１００の構成例を示すブロック図である。図１４に示す例では、情報提供システム１００は、通信装置１１０と、位置蓄積サーバ１２０と、購入履歴蓄積サーバ２１０と、パーソナル経済圏分析サーバ１４０と、コンテンツ管理サーバ２２０とを含む。ここで、通信装置１１０、位置蓄積サーバ１２０およびパーソナル経済圏分析サーバ１４０は、図１に示す第１の実施形態における通信装置１１０、位置蓄積サーバ１２０およびパーソナル経済圏分析サーバ１４０と同様な構成であるので、図１と同じ符号を付して説明を省略する。
【００８６】
購入履歴蓄積サーバ２１０は、通信装置１１０が送信した購入情報を受信した場合に、当該購入情報に含まれる日時情報をコンテンツ管理サーバ２２０に送信する。
【００８７】
コンテンツ管理サーバ２２０は、購入履歴蓄積サーバ２１０が送信した日時情報を受信した場合に、受信した日時情報をコンテンツ管理サーバ２２０の記憶部（図示せず）に記憶させる。コンテンツ管理サーバ２２０は、同日に複数の日時情報が記憶部に記憶された場合、通信装置１１０のユーザが同日に複数の商品を購入していると判定する。そして、コンテンツ管理サーバ２２０は、通信装置１１０のユーザが同日に複数の商品を購入していると判定した場合、第１の実施形態における設定基準と、以下に示す設定基準とに基づき、情報提供順位を設定する。
【００８８】
コンテンツ管理サーバ２２０は、記憶部に記憶されているユーザ情報内の購入情報に含まれている持運び情報に基づき、過去に通信装置１１０のユーザが購入した商品のうち持ち運びが困難な商品を特定する。また、コンテンツ管理サーバ２２０は、ユーザ情報内の購入情報に含まれているＥＯＬ情報に基づき、過去に通信装置１１０のユーザが購入した商品のうちライフサイクルが終了している商品、およびライフサイクルの終了が迫っている商品を特定する。そして、コンテンツ管理サーバ２２０は、持運びが困難、且つライフサイクルが終了している又はライフサイクルの終了が迫っている商品の情報提供順位を、そうでない商品の情報提供順位よりも低く設定する。つまり、コンテンツ管理サーバ２２０は、持運びが困難、且つライフサイクルが終了している又はライフサイクルの終了が迫っている商品について、その情報提供順が遅くなるように設定する。このような構成により、コンテンツ管理サーバ２２０は、例えば、通信装置１１０のユーザが家路に就いた場合に、持運びの困難な商品の情報を通信装置１１０に送信する。よって、コンテンツ管理サーバ２２０は、通信装置１１０のユーザによる持運び困難な商品の持運び時間を短縮することができる。したがって、コンテンツ管理サーバ２２０は、通信装置１１０のユーザの身体的負荷を考慮して情報を提供することができる。
【００８９】
また、コンテンツ管理サーバ２２０は、前述の持運びが困難な商品に対応するクーポンの情報提供順位をそれ以外のクーポンの情報提供順位よりも低く設定する。また、コンテンツ管理サーバ２２０は、前述の持運びの困難な商品を販売しているＡ町（自宅地域）の店舗の情報の情報提供順位を、それ以外の店舗の情報提供順位よりも低く設定する。ここで、コンテンツ管理サーバ２２０は、通信装置１１０のユーザの現在の所在がＢ町（勤務地域）やＣ町（活発地域）であっても、前述の持運びが困難な商品を販売しているＡ町（自宅地域）の店舗の情報の情報提供順位を、それ以外の店舗の情報提供順位よりも低く設定する。そして、コンテンツ管理サーバ２２０は、前述の持運びの困難な商品の情報を通信装置１１０に送信するときに、当該商品に対応するクーポン、および当該商品を取り扱っているＡ町の店舗の情報も併せて通信装置１１０に送信する。
【００９０】
以上のように、本実施形態におけるコンテンツ管理サーバ２２０は、持運びが困難、且つライフサイクルが終了している又はライフサイクルの終了が迫っている商品について、その情報提供順が遅くなるように設定する。
【００９１】
したがって本実施形態によれば、本発明の第１の実施形態と同様な効果に加え、ユーザの身体的負荷を考慮して情報を提供することができるという効果も奏することが可能になる。
【００９２】
（第３の実施形態）
本発明の第３の実施形態について図面を参照して説明する。
【００９３】
図１５は、本実施形態における情報提供システム３００の構成例を示すブロック図である。図１５に示す例では、情報提供システム３００は、判定部３１０と、設定部３２０と、通信部３３０とを含む。
【００９４】
判定部３１０と、設定部３２０と、通信部３３０とは、例えば、図１に示す本発明の第１の実施形態におけるコンテンツ管理サーバ１５０に相当する。
【００９５】
判定部３１０は、情報提供先のユーザの現在位置を含む地域の属性が、予め設定されたいずれの地域属性であるかを判断する。
【００９６】
設定部３２０は、前述の現在位置を含む地域でユーザによって購入された商品、および前述の現在位置を含む地域の地域属性に応じた設定基準に基づき、情報提供先に提供する提供情報に優先順位を設定する。
【００９７】
通信部３３０は、設定部３２０が設定した優先順位に基づき、情報提供先に提供情報を送信する。
【００９８】
次に、情報提供システム３００の動作例を図１６を参照して説明する。
【００９９】
（Ｓ４０１：判定部３１０の処理）
判定部３１０は、情報提供先のユーザの現在位置を含む地域の属性が、予め設定されたいずれの地域属性であるかを判断する。
【０１００】
（Ｓ４０２：設定部３２０の動作）
設定部３２０は、前述の現在位置を含む地域でユーザによって購入された商品、および前述の現在位置を含む地域の地域属性に応じた設定基準に基づき、情報提供先に提供する提供情報に優先順位を設定する。
【０１０１】
（Ｓ４０３：通信部３３０の動作）
通信部３３０は、設定部３２０が設定した優先順位に基づき、情報提供先に提供情報を送信する。
【０１０２】
本実施形態によれば、設定部３２０は、情報提供先のユーザの現在位置を含む地域でユーザによって購入された商品、および当該地域の地域属性に応じた設定基準に基づき、情報提供先に提供する提供情報に優先順位を設定する。そして、通信部３３０は、当該優先順位に基づき、提供情報を情報提供先に送信する。よって、情報提供システム３００は、情報提供先のユーザの現在位置を含む地域の地域属性を考慮して、ユーザに情報を提供する。
【０１０３】
したがって、本実施形態においても、本発明の第１の実施形態と同様な効果も奏することができる。
【０１０４】
以上、本発明の各実施形態を説明したが、本発明は、上記した各実施形態に限定されるものではなく、本発明の基本的技術的思想を逸脱しない範囲で、更なる変形・置換・調整を加えることができる。また、各実施形態を適宜組み合わせて実施してもよい。
【０１０５】
なお、上記の特許文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせ、ないし選択が可能である。すなわち、本発明は、請求の範囲を含む全開示、技術的思想にしたがって当業者であればなし得る各種変形、修正を含むことは勿論である。
【符号の説明】
【０１０６】
１００  情報提供システム
１１０  通信装置
１２０  位置蓄積サーバ
１３０  購入履歴蓄積サーバ
１４０  パーソナル経済圏分析サーバ
１５０  コンテンツ管理サーバ
２００  情報提供システム
２１０  購入履歴蓄積サーバ
２２０  コンテンツ管理サーバ
３００  情報提供システム
３１０  判断部
３２０  設定部
３３０  通信部
【図１】
0006693212.tif 000002
【図２】
0006693212.tif 000003
【図３】
0006693212.tif 000004
【図４】
0006693212.tif 000005
【図５】
0006693212.tif 000006
【図６】
0006693212.tif 000007
【図７】
0006693212.tif 000008
【図８】
0006693212.tif 000009
【図９】
0006693212.tif 000010
【図１０】
0006693212.tif 000011
【図１１】
0006693212.tif 000012
【図１２】
0006693212.tif 000013
【図１３】
0006693212.tif 000014
【図１４】
0006693212.tif 000015
【図１５】
0006693212.tif 000016
【図１６】
0006693212.tif 000017